【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
ネットワークを設計、配備、または最適化するための特定場所向けの方法であって、
それぞれがネットワークの性能に影響を与える属性を有することができる複数の異なるオブジェクトを有する空間のコンピュータ化モデルを生成するステップと、
前記空間内における少なくとも１つの選択された場所についての望ましい性能メトリックを設定するステップと、
前記ネットワークで使用可能な複数の異なるコンポーネントの性能属性をモデル化するステップと、
前記ネットワークで使用される前記複数の異なるコンポーネントからコンポーネントを指定するステップと、
前記コンピュータ化モデルにおける複数の異なるコンポーネントについての前記空間内における場所を指定するステップと、
前記空間内における前記少なくとも１つの選択された場所についての予測される性能メトリックを、前記選択されたコンポーネントおよび前記選択された場所に基づいて予測するステップと、
前記予測される性能メトリックを前記望ましい性能メトリックと比較するステップと、
を備える方法。
【請求項２】
前記コンポーネントを指定するステップおよび前記場所を指定するステップは、望ましい比較結果が前記比較するステップで得られるまで、複数回自動的に実行される、請求項１に記載の方法。
【請求項３】
前記選択されたコンポーネントについての構成を指定するステップをさらに備える、請求項１に記載の方法。
【請求項４】
前記構成を指定するステップは、前記選択されたコンポーネントの前記空間の前記選択された場所における方向を定義するステップを含む、請求項３に記載の方法。
【請求項５】
前記コンポーネントを指定するステップ、前記場所を指定するステップ、および前記構成を指定するステップの１つまたは２つ以上が、望ましい比較結果が前記比較するステップで得られるまで、複数回自動的に実行される、請求項３に記載の方法。
【請求項６】
前記指定するステップで指定される前記コンポーネントの少なくともいくつかは、無線通信コンポーネントである、請求項１に記載の方法。
【請求項７】
前記無線通信コンポーネントの少なくともいくつかは、アンテナである、請求項６に記載の方法。
【請求項８】
前記望ましい性能メトリックおよび前記予測される性能メトリックは、受信信号強度、スループット、帯域幅、サービス品質、ビット誤り率、パケット誤り率、フレーム誤り率、パケット廃棄率、パケット待ち時間、ラウンドトリップ時間、伝播遅延、送信遅延、処理遅延、待ち行列遅延、容量、パケットジッタ、帯域幅遅延積、ハンドオフ遅延時間、信号対干渉比、信号対雑音比、ハンドオフゾーン、物的装置価格、保守要求、価値低下および設置コストからなる群から選択される、請求項１に記載の方法。
【請求項９】
前記空間の前記コンピュータ化モデルは、３次元である、請求項１に記載の方法。
【請求項１０】
前記場所を選択するステップは、グラフィカルインタフェースで実行される、請求項１に記載の方法。
【請求項１１】
前記場所を指定するステップは、前記選択されたコンポーネントについての場所の属性を指定することによって実行される、請求項１に記載の方法。
【請求項１２】
前記ネットワークは、無線通信ネットワークである、請求項１に記載の方法。
【請求項１３】
ネットワークを設計、配備、または最適化するための特定場所向けの装置であって、
それぞれがネットワークの性能に影響を与える属性を有することができる複数の異なるオブジェクトを有する空間のコンピュータ化モデルを生成する手段と、
前記空間内における少なくとも１つの選択された場所についての望ましい性能メトリックを設定する手段と、
前記ネットワークで使用可能な複数の異なるコンポーネントの性能属性のコンピュータ化モデルと、
前記ネットワークで使用される前記複数の異なるコンポーネントからコンポーネントを指定する手段と、
前記コンピュータ化モデルの複数の異なるコンピュータについての前記空間内における場所を指定する手段と、
前記空間内における前記少なくとも１つの選択された場所についての予測される性能メトリックを前記選択されたコンポーネントおよび前記選択された場所に基づいて予測する手段と、
前記予測される性能メトリックを前記望ましい性能メトリックと比較する手段と、
を備える装置。
【請求項１４】
前記選択されたコンポーネントについての構成を指定する手段をさらに備える、請求項１３に記載の装置。
【請求項１５】
前記構成を指定する手段は、指定されたコンポーネントの前記空間の選択された場所における方向を定義する、請求項１４に記載の装置。
【請求項１６】
前記コンポーネントの少なくともいくつかは、無線通信コンポーネントである、請求項１３に記載の装置。
【請求項１７】
前記無線通信コンポーネントの少なくともいくつかは、アンテナである、請求項１６に記載の装置。
【請求項１８】
前記望ましい性能メトリックおよび前記予測される性能メトリックは、受信信号強度、スループット、帯域幅、サービス品質、ビット誤り率、パケット誤り率、フレーム誤り率、パケット廃棄率、パケット待ち時間、ラウンドトリップ時間、伝播遅延、送信遅延、処理遅延、待ち行列遅延、容量、パケットジッタ、帯域幅遅延積、ハンドオフ遅延時間、信号対干渉比、信号対雑音比、ハンドオフゾーン、物的装置価格、価値低下、保守要求および設置コストからなる群から選択される、請求項１３に記載の装置。
【請求項１９】
前記空間の前記コンピュータ化モデルは、３次元である、請求項１３に記載の装置。
【請求項２０】
前記ネットワークは、無線通信コンポーネントを含む、請求項１３に記載の装置。
【請求項２１】
前記コンポーネントを指定する手段、前記場所を指定する手段、および前記構成を指定する手段の１つまたは２つ以上が、望ましい比較結果が得られるまで、複数回自動的に実行される、請求項１４に記載の装置。
【請求項２２】
前記場所を選択する手段は、グラフィカルインタフェースで実行される、請求項１４に記載の装置。
【請求項２３】
前記場所を指定する手段は、前記選択されたコンポーネントについての場所の属性を指定する、請求項１４に記載の装置。
【請求項２４】
通信ネットワークをモデル化するための特定場所向けのシステムであって、
通信ネットワークが配備されるか、または、配備される予定の現場の現場地図を表示するディスプレイと、
通信ネットワークで使用されるか、または、使用され得る複数のコンポーネントであって、該複数のコンポーネントの１つまたは２つ以上のものは、データベースに記憶された性能データ、コストデータ、保守データ、および装置設定の少なくとも１つを有する複数のコンポーネントを含む前記通信ネットワークの可能な構成に、前記ディスプレイ上の前記現場地図のコンピュータ表現を構成する手段と、
前記通信ネットワークの望ましい構成の１つまたは２つ以上のパラメータを設定する手段と、
ａ）前記通信ネットワークの前記構成内における１つまたは２つ以上のコンポーネントと、
ｂ）前記通信ネットワークの前記構成内における１つまたは２つ以上のコンポーネントの装置設定と、
の少なくとも１つを変更する手段と、
前記構成する手段および前記変更する手段によって生成される前記現場内の前記通信ネットワークについての予測されるパラメータまたは測定されるパラメータを決定する手段と、
前記決定する手段によって生成される、予測されるパラメータまたは測定されるパラメータと、前記設定する手段によって設定される前記望ましい構成の前記１つまたは２つ以上のパラメータとの比較に基づいて、前記通信ネットワークの１つまたは２つ以上の最適化された構成または好ましい構成を決定する手段と、
を備えるシステム。
【請求項２５】
前記決定する手段は、前記通信ネットワークについての測定されるパラメータを決定する、請求項２４に記載のシステム。
【請求項２６】
前記決定する手段は、前記通信ネットワークについての予測されるパラメータを決定する、請求項２４に記載のシステム。
【請求項２７】
前記複数のコンポーネントの１つまたは２つ以上のコンポーネントは、基地局、基地局制御装置、増幅器、減衰器、アンテナ、同軸ケーブル、光ファイバケーブル、スプリッタ、リピータ、トランスデューサ、変換器、カプラ、漏れフィーダケーブル、ハブ、スイッチ、ルータ、ファイアウォール、ＭＩＭＯシステム、センサ、配電線、配線、ツイストペアケーブルおよび無線アクセスポイントまたは他のアクセスポイントからなる群から選択される、請求項２４に記載のシステム。
【請求項２８】
前記望ましい構成の前記１つまたは２つ以上のパラメータは、無線信号強度、接続性、ネットワークスループット、ビット誤り率、フレーム誤り率、信号対干渉比、信号対雑音比、毎秒当たりのフレーム解像度、トラフィック、容量、信号強度、スループット、誤り率、パケット待ち時間、パケットジッタ、シンボルジッタ、サービス品質、セキュリティ、カバレージエリア、帯域幅、サーバ識別パラメータ、送信機識別パラメータ、最良のサーバ位置、送信機位置パラメータ、請求情報、ネットワーク性能パラメータ、Ｃ／Ｉ、Ｃ／Ｎ、本体損失、床からの高さ、地面からの高さ、雑音指数、安定したカバレージ位置、伝搬損失指数、到来角、マルチパスコンポーネント、マルチパスパラメータ、アンテナ利得、雑音レベル反射率、表面粗さ、パス損失モデル、減衰定数、スループット性能メトリック、パケット誤り率、ラウンドトリップ時間、パケット廃棄率、待ち行列遅延、信号レベル、干渉レベル、サービス品質、帯域幅遅延積、ハンドオフ遅延時間、信号損失、データ損失、サービスを受けるユーザ数、ユーザ密度、十分なカバレージの場所、ハンドオフ地点、十分なスループットの場所、ＥＣ／ＩＯ、システム性能パラメータ、装置価格、保守およびコストの情報、ユーザクラスまたはサブクラス、ユーザタイプ、位置ロケーション、絶対的表現または相対的表現のいずれかのすべてから選択される、請求項２４に記載のシステム。
【請求項２９】
前記変更する手段は、前記１つまたは２つ以上のコンポーネントのコンポーネントのタイプを反復プロセスで自動的に変更する、請求項２４に記載のシステム。
【請求項３０】
前記変更する手段は、前記１つまたは２つ以上のコンポーネントのコンポーネントのタイプを反復プロセスで手動により変更する、請求項２４に記載のシステム。
【請求項３１】
前記変更する手段は、前記１つまたは２つ以上のコンポーネントの製造業者を反復プロセスで自動的に変更する、請求項２４に記載のシステム。
【請求項３２】
前記変更する手段は、前記１つまたは２つ以上のコンポーネントの製造業者を反復プロセスで手動により変更する、請求項２４に記載のシステム。
【請求項３３】
前記変更する手段は、前記１つまたは２つ以上のコンポーネントの場所を反復プロセスで自動的に変更する、請求項２４に記載のシステム。
【請求項３４】
前記変更する手段は、前記１つまたは２つ以上のコンポーネントの場所を反復プロセスで手動により変更する、請求項２４に記載のシステム。
【請求項３５】
前記変更する手段は、前記１つまたは２つ以上のコンポーネントの送信電力、チャネルもしくは周波数、帯域幅、データレート、アンテナタイプ、アンテナセクタもしくは位置決め、変調もしくは符号化タイプ、プロトコル、データレート、予備のコンポーネントの切り替え、リセット、またはコンポーネントの変更設定の１つまたは２つ以上のものを反復プロセスで自動的に変更する、請求項２４に記載のシステム。
【請求項３６】
前記変更する手段は、前記１つまたは２つ以上のコンポーネントの送信電力、チャネルもしくは周波数、帯域幅、データレート、アンテナタイプ、アンテナセクタもしくは位置決め、変調もしくは符号化タイプ、プロトコル、データレート、予備のコンポーネントの切り替え、リセット、またはコンポーネントの変更設定の１つを反復プロセスで手動により変更する、請求項２４に記載のシステム。
【請求項３７】
通信ネットワークをモデル化するための特定場所向けの方法であって、
通信ネットワークが配備されるか、または、配備される予定の現場の現場地図を表示することと、
通信ネットワークで使用されるか、または、使用され得る複数のコンポーネントであって、該複数のコンポーネントの１つまたは２つ以上のものは、データベースに記憶された性能データ、コストデータ、保守データ、および装置設定の少なくとも１つを有する、複数のコンポーネントを含む前記通信ネットワークの可能な構成に、前記ディスプレイ上の前記現場地図のコンピュータ表現を構成することと、
前記通信ネットワークの望ましい構成の１つまたは２つ以上のパラメータを設定することと、
ａ）前記通信ネットワークの前記構成内における１つまたは２つ以上のコンポーネント、および
ｂ）前記通信ネットワークの前記構成内における１つまたは２つ以上のコンポーネントの装置設定、
の少なくとも１つを変更することと、
前記構成するステップおよび前記変更するステップによって生成される前記現場内の前記通信ネットワークについての予測されるパラメータまたは測定されるパラメータを決定することと、
前記決定するステップによって生成される、予測されるパラメータまたは測定されるパラメータと、前記設定するステップによって設定される前記望ましい構成の前記１つまたは２つ以上のパラメータとの比較に基づいて、前記通信ネットワークの１つまたは２つ以上の最適化された構成または好ましい構成を決定することと、
を備える方法。
【請求項３８】
前記決定するステップは、前記通信ネットワークについて測定されるパラメータを決定する、請求項３７に記載の方法。
【請求項３９】
前記決定するステップは、前記通信ネットワークについて予測されるパラメータを決定する、請求項３７に記載の方法。
【請求項４０】
前記複数のコンポーネントの１つまたは２つ以上のコンポーネントは、基地局、基地局制御装置、増幅器、減衰器、アンテナ、同軸ケーブル、光ファイバケーブル、スプリッタ、リピータ、トランスデューサ、変換器、カプラ、漏れフィーダケーブル、ハブ、スイッチ、ルータ、ファイアウォール、ＭＩＭＯシステム、センサ、配電線、配線、ツイストペアケーブルおよび無線アクセスポイントまたは他のアクセスポイントからなる群から選択される、請求項３７に記載の方法。
【請求項４１】
前記望ましい構成の前記１つまたは２つ以上のパラメータは、無線信号強度、接続性、ネットワークスループット、ビット誤り率、フレーム誤り率、信号対干渉比、信号対雑音比、毎秒当たりのフレーム解像度、トラフィック、容量、信号強度、スループット、誤り率、パケット待ち時間、パケットジッタ、シンボルジッタ、サービス品質、セキュリティ、カバレージエリア、帯域幅、サーバ識別パラメータ、送信機識別パラメータ、最良のサーバ位置、送信機位置パラメータ、請求情報、ネットワーク性能パラメータ、Ｃ／Ｉ、Ｃ／Ｎ、本体損失、床からの高さ、地面からの高さ、雑音指数、安定したカバレージ位置、伝搬損失指数、到来角、マルチパスコンポーネント、マルチパスパラメータ、アンテナ利得、雑音レベル反射率、表面粗さ、パス損失モデル、減衰定数、スループット性能メトリック、パケット誤り率、ラウンドトリップ時間、パケット廃棄率、待ち行列遅延、信号レベル、干渉レベル、サービス品質、帯域幅遅延積、ハンドオフ遅延時間、信号損失、データ損失、サービスを受けるユーザ数、ユーザ密度、十分なカバレージの場所、ハンドオフ地点、十分なスループットの場所、ＥＣ／ＩＯ、システム性能パラメータ、装置価格、保守およびコストの情報、ユーザクラスまたはサブクラス、ユーザタイプ、位置ロケーション、絶対的表現または相対的表現のいずれかのすべてから選択される、請求項３７に記載の方法。
【請求項４２】
前記変更するステップは、前記１つまたは２つ以上のコンポーネントのコンポーネントのタイプを反復プロセスで自動的に変更する、請求項３７に記載の方法。
【請求項４３】
前記変更するステップは、前記１つまたは２つ以上のコンポーネントのコンポーネントのタイプを反復プロセスで手動により変更する、請求項３７に記載の方法。
【請求項４４】
前記変更するステップは、前記１つまたは２つ以上のコンポーネントの製造業者を反復プロセスで自動的に変更する、請求項３７に記載の方法。
【請求項４５】
前記変更するステップは、前記１つまたは２つ以上のコンポーネントの製造業者を反復プロセスで手動により変更する、請求項３７に記載の方法。
【請求項４６】
前記変更するステップは、前記１つまたは２つ以上のコンポーネントの場所を反復プロセスで自動的に変更する、請求項３７に記載の方法。
【請求項４７】
前記変更するステップは、前記１つまたは２つ以上のコンポーネントの場所を反復プロセスで手動により変更する、請求項３７に記載の方法。
【請求項４８】
前記変更するステップは、前記１つまたは２つ以上のコンポーネントの送信電力、チャネルもしくは周波数、帯域幅、データレート、アンテナタイプ、アンテナセクタもしくは位置決め、変調もしくは符号化タイプ、プロトコル、データレート、予備のコンポーネントの切り替え、リセット、またはコンポーネントの変更設定の１つまたは２つ以上のものを反復プロセスで自動的に変更する、請求項３７に記載の方法。
【請求項４９】
前記変更するステップは、前記１つまたは２つ以上のコンポーネントの送信電力、チャネルもしくは周波数、帯域幅、データレート、アンテナタイプ、アンテナセクタもしくは位置決め、変調もしくは符号化タイプ、プロトコル、データレート、予備のコンポーネントの切り替え、リセット、またはコンポーネントの変更設定の１つを反復プロセスで手動により変更する、請求項３７に記載の方法。
【請求項５０】
通信ネットワークをモデル化するための特定場所向けのシステムであって、
通信ネットワークが配備されるか、または、配備される予定の現場の現場地図を表示するディスプレイと、
前記通信ネットワークの１つまたは２つ以上のコンポーネントの配置が望ましくないか、または、望ましい場所を前記現場地図上で特定する手段と、
前記通信ネットワークの望ましい構成の１つまたは２つ以上のパラメータを設定する手段と、
通信ネットワークで使用されるか、または、使用され得る複数の前記１つまたは２つ以上のコンポーネントであって、該コンポーネントの１つまたは２つ以上のものは、データベースに記憶された性能データ、コストデータ、保守データ、および装置設定の少なくとも１つを有する複数のコンポーネントを含む前記通信ネットワークの可能な構成に、前記ディスプレイ上の前記現場地図のコンピュータ表現を構成する手段であって、望ましい場所および望ましくない場所でない場所のみにおける前記１つまたは２つ以上のコンポーネントのコンピュータ表現を前記現場地図に位置付ける、構成する手段と、
前記構成する手段によって生成される構成についての予測されるパラメータまたは測定されるパラメータの、前記設定する手段によって設定される前記望ましい構成の前記１つまたは２つ以上のパラメータとの比較に基づいて、前記通信ネットワークの１つまたは２つ以上の最適化された構成または好ましい構成を決定する手段と、
を備えるシステム。
【請求項５１】
通信ネットワークをモデル化するための特定場所向けの方法であって、
通信ネットワークが配備されるか、または、配備される予定の現場の現場地図を表示することと、
前記通信ネットワークの１つまたは２つ以上のコンポーネントの配置が望ましくないか、または、望ましい場所を前記現場地図上で特定することと、
前記通信ネットワークの望ましい構成の１つまたは２つ以上のパラメータを設定することと、
通信ネットワークで使用されるか、または、使用され得る複数の前記１つまたは２つ以上のコンポーネントであって、該コンポーネントの１つまたは２つ以上のものは、データベースに記憶された性能データ、コストデータ、保守データ、および装置設定の少なくとも１つを有する、複数のコンポーネントを含む前記通信ネットワークの可能な構成に、前記ディスプレイ上の前記現場地図のコンピュータ表現を構成することであって、望ましい場所および望ましくない場所でない場所のみにおける前記１つまたは２つ以上のコンポーネントのコンピュータ表現を前記現場地図に位置付ける、構成することと、
前記構成するステップによって生成される構成についての予測されるパラメータまたは測定されるパラメータの、前記設定するステップによって設定される前記望ましい構成の前記１つまたは２つ以上のパラメータとの比較に基づいて、前記通信ネットワークの１つまたは２つ以上の最適化された構成または好ましい構成を決定することと、
を備える方法。